【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
音声認識方法において、
表音認識器によって出力される表音シーケンスを受け取る工程、及び
前記表音シーケンスを、参照リストに格納された複数の参照音素シーケンスの内の、前記表音シーケンスに最もぴったり合った１つに突き合わせる工程、
を有してなり、
前記参照リストに格納された前記複数の参照音素シーケンスの内の少なくとも１つは前記表音認識器により出力され得る表音シーケンスに関する付加情報を含むことを特徴とする音声認識方法。
【請求項２】
音素強勢レベルに対応する情報が前記参照リストに格納された前記複数の参照音素シーケンスとともに格納されることを特徴とする請求項１に記載の音声認識方法。
【請求項３】
前記音素強勢レベルに対応する前記情報が特定のASCII文字として格納されることを特徴とする請求項２に記載の音声認識方法。
【請求項４】
前記情報が、
無強勢レベルに対応する第１の値、
前記無強勢レベルより高い第１の強勢レベルに対応する第２の値、及び
前記第２の強勢レベルより高い第３の強勢レベル、
を含むことを特徴とする請求項２に記載の音声認識方法。
【請求項５】
前記音素強勢レベルが前記参照音素シーケンスのそれぞれの少なくとも１つの母音に対して前記参照リストに格納されることを特徴とする請求項２に記載の音声認識方法。
【請求項６】
前記表音シーケンスを前記複数の参照音素シーケンスの内の１つに突き合わせる前記工程が、前記複数の参照音素シーケンスの音素強勢レベルに対応する情報を含む突合わせコストマトリックスからの情報を利用する工程を含むことを特徴とする請求項１に記載の音声認識方法。
【請求項７】
前記表音認識器が前記表音認識器への音響的シーケンス入力に出現する相異なる表音強勢レベルを弁別できないことを特徴とする請求項１に記載の音声認識方法。
【請求項８】
母音直前子音及び母音直後子音に対応する情報が前記参照リストに格納された前記参照音素シーケンスのそれぞれとともに格納され、前記音声認識方法によって実施される音声認識において前記母音直前子音が前記母音直後子音とは異なる処理を受けることを特徴とする請求項１に記載の音声認識方法。
【請求項９】
前記表音シーケンスを前記複数の参照音素シーケンスの内の１つに突き合わせる前記工程が、
前記複数の参照音素シーケンスのそれぞれにおける母音直後子音及び母音直前子音の出現に対応する情報を含む突合わせコストマトリックスからの情報を利用する工程、
を含むことを特徴とする請求項８に記載の音声認識方法。
【請求項１０】
前記表音認識器が前記表音認識器への音響的シーケンス入力に出現する母音直後子音と母音直前子音を弁別できないことを特徴とする請求項９に記載の音声認識方法。
【請求項１１】
２つまたはそれより多くの選択音素に対応するいくつかの選択許容発音に対応する情報がある場合、該情報は、前記選択音素のいずれもが許容されることを示す専用音標を用いて前記参照リストに格納された前記参照音素シーケンスのそれぞれとともに格納されることを特徴とする請求項１に記載の音声認識方法。
【請求項１２】
選択許容発音に対応する前記情報が前記参照リストに特定のASCII文字シーケンスとして格納されることを特徴とする請求項１１に記載の音声認識方法。
【請求項１３】
前記突合わせコストマトリックスが、選択許容発音を有する前記参照音素シーケンスについて個々の音素に対する最小コストに対応する情報を含むことを特徴とする請求項１２に記載の音声認識方法。
【請求項１４】
その出現の有無にかかわらず発音が許される文脈に出現する音素または選択音素セットは、出現していないことが許容されることを示すためにマーキングされることを特徴とする請求項１２に記載の音声認識方法。
【請求項１５】
音声認識装置において、
表音認識器によって出力される表音シーケンスを受け取るように構成された入力ユニット、
複数の参照音素シーケンスを格納するように構成された参照リスト、及び
前記入力ユニットによって受け取られる前記表音シーケンスを、前記参照リストに格納された前記複数の参照音素シーケンスの内の、前記表音シーケンスに最もぴったり合った１つと突き合わせるように構成された突合わせユニット、
を備え、
前記参照リストに格納された前記複数の参照音素シーケンスの内の少なくとも１つは前記表音認識器によって出力され得る表音シーケンスに関する付加情報を含むことを特徴とする音声認識装置。
【請求項１６】
前記複数の参照音素シーケンスの音素強勢レベルに対応する情報を含み、前記情報を前記突合わせユニットに提供する、突合わせコストマトリックス、
をさらに備えることを特徴とする請求項１５に記載の音声認識装置。
【請求項１７】
前記表音認識器が前記表音認識器に入力される音響的シーケンスに出現する相異なる表音強勢レベルを弁別できないことを特徴とする請求項１５に記載の音声認識装置。
【請求項１８】
母音直前子音及び母音直後子音に対応する情報が前記参照リストに格納された前記参照音素シーケンスのそれぞれとともに格納され、前記音声認識装置によって実施される音声認識において前記母音直前子音が前記母音直後子音とは異なる処理を受けることを特徴とする請求項１５に記載の音声認識装置。
【請求項１９】
前記音声認識装置が音声認識システムのディスプレイモニタユニットによる出力を提供する字解器に対応することを特徴とする請求項１５に記載の音声認識装置。
【請求項２０】
前記複数の参照音素シーケンスのそれぞれにおける母音直後子音及び母音直前子音の出現に対応する情報を含む突合わせコストマトリックス、
をさらに備えることを特徴とする請求項１５に記載の音声認識装置。
【請求項２１】
前記表音認識器が、前記表音認識器への音響的シーケンス入力に出現する母音直後子音と母音直前子音を弁別できないことを特徴とする請求項１５に記載の音声認識装置。
【請求項２２】
選択許容発音に対応する情報がある場合、該情報は、前記参照リストに格納された前記参照音素シーケンスのそれぞれとともに格納されることを特徴とする請求項１５に記載の音声認識装置。
【請求項２３】
前記選択許容発音に対応する前記情報が前記参照リストに特定のASCII文字として格納されることを特徴とする請求項２２に記載の音声認識装置。
【請求項２４】
音声認識を実施するための機械読取可能プログラムコードを有するプログラム製品において、前記プログラムコードが、実行されるときに、
表音認識器によって出力される表音シーケンスを受け取る工程、及び
参照リストに格納された複数の参照音素シーケンスの内の、前記表音シーケンスに最もぴったり合った１つに前記表音シーケンスを突き合わせる工程、
を機械に実施させ、
前記参照リストに格納された前記複数の参照音素シーケンスの内の少なくとも１つは前記表音認識器によって出力され得る表音シーケンスに関する付加情報を含むことを特徴とするプログラム製品。
【請求項２５】
音素強勢レベルに対応する情報が、前記参照リストに格納された前記複数の参照音素シーケンスとともに格納されることを特徴とする請求項２４に記載のプログラム製品。
【請求項２６】
前記音素強勢レベルに対応する前記情報が特定のASCII文字として格納されることを特徴とする請求項２５に記載のプログラム製品。
【請求項２７】
前記情報が、
無強勢レベルに対応する第１の値、
前記無強勢レベルより高い第１の強勢レベルに対応する第２の値、及び
前記第２の強勢レベルより高い第３の強勢レベル、
を含むことを特徴とする請求項２５に記載のプログラム製品。
【請求項２８】
前記音素強勢レベルが前記参照音素シーケンスのそれぞれにおける少なくとも１つの母音に対して前記参照リストに格納されることを特徴とする請求項２７に記載のプログラム製品。
【請求項２９】
前記表音シーケンスを前記複数の参照音素シーケンスの内の１つに突き合わせる前記工程が、
前記複数の参照音素シーケンスの音素強勢レベルに対応する情報を含む突合わせコストマトリックスからの情報を利用する工程、
を含むことを特徴とする請求項２８に記載のプログラム製品。